(57)【要約】【課題】  大引の経年変化によるきしみ音を無くし、不等沈下によるズレに対する調節を容易に行えるようにした鋼製束および同鋼製束を用いた大引支持構造を提供する。【解決手段】  大引に中心ボルト５を通し大引を固定し、中心ボルト５に通した高さを調節することが出来る２以上の足を設けたベース部７でコンクリートベース１０に立設及びオールアンカー９で固定し、大引を支持することが出来るようにした。【選択図】図１
2006194054.tif 000002
【特許請求の範囲】
【請求項１】
大引を支持する鋼製束であり、大引に中心ボルト５を通しスクリューワッシャー２と大引固定ナット４で締め固定し、中心ボルト５に通された調節ナット上部６及び調節ナット下部８により中心ボルト５に固定し高さを調節することが出来る２以上の足を設けたベース部７で、コンクリートベース１０に立設及びオールアンカー９で固定し、大引を支持することが出来ることを特徴とする装置。
【請求項２】
大引に中心ボルト５を通しナットで締めることによって大引を固定し、中心ボルト５に設けられた２以上の足で構成されたベース部７によってコンクリートベース１０に立設することが出来ることを特徴とする装置。
【発明の詳細な説明】
【技術分野】
【０００１】  本発明は住宅等の建築物における床部の大引を支持するための鋼製束、および、同鋼製束を用いた大引の支持構造に関する。
【背景技術】
【０００２】  従来の大引を支える鋼製束にはコンクリートベースに接地されたベースプレートに、高さの調節が可能な１本の棒状部材が立設され、その上部に大引を支持する大引き受けが設けられ、大引と大引き受けをビス等で固定する構造のものがある。（例えば、特許文献１参照。）。【０００３】
【特許文献１】      特願平１１−１５８９０６号
【発明の開示】
【発明が解決しようとする課題】
【０００４】  しかしながら、以上の従来技術によれば、大引を上記大引き受けにのせ、ビス等でとめている状態のため、下方への力には耐えることが出来るが、上方への力（大引が浮く状態のずれ）には耐えることが出来ない。そのため、上方への力にはコンクリートベースに固定された張線で止める事により対応していた。また、大引をビス等でとめていた為、大引の乾燥などによる変形できしみ音がひどく、その対応にも苦労を要していた。また、１本の棒状部材とベースプレートで支えていた為、左右の力に対しての抵抗力が弱いものであった。【０００５】  そこで、本発明は、大引の乾燥等での変形によるきしみ音を無くし、下方及び上方、さらに左右への力へ耐えることができ、不等沈下に対する調節を容易に行うことが出来る鋼製束を提供することを課題とする。
【課題を解決するための手段】
【０００６】  以上の課題を解決するために、請求項１の発明は、大引を支持する鋼製束であり、大引に中心ボルト５を通しスクリューワッシャー２と大引固定ナット４で締め固定し、中心ボルト５に通された調節ナット上部６及び調節ナット下部８により中心ボルト５に固定し高さを調節することが出来る２以上の足を設けたベース部７で、コンクリートベース１０に立設及びオールアンカー９で固定し、大引を支持することが出来ることを特徴とする装置である。【０００７】  また、請求項２の発明は、大引に中心ボルト５を通しナットで締めることによって大引を固定し、中心ボルト５に設けられた２以上の足で構成されたベース部７によってコンクリートベース１０に立設することが出来ることを特徴とする装置である。
【発明の効果】
【０００８】  以上説明したように、本発明によれば、大引に中心ボルト５を通しナットで締める構造、及び、中心ボルト５にスクリューワッシャー２を用いた構造で大引を固定することにより、大引への上方及び下方、左右への力に耐えることが出来るので、張線で大引を止める必要がない。特に、スクリューワッシャー２を用いた構造は大引を完全に固定するので、大引の乾燥等で変形が生じても、きしみ音がなることは無い。【０００９】  また、大引の幅には色々なサイズがあるために、従来は大引を、上記大引き受けによって下方及び片側面から固定し、鋼製束を左右交互に配置していた。または、大引の幅に合わせて、大引を支持する上記大引き受けの大きさを大引の幅ごとに変更していた。しかし、本発明は中心ボルト５及びスクリューワッシャー２を大引の幅の中心部に固定することにより、大引の幅を意識する必要がない。【００１０】  また、ベース部７の構造を２本以上の足の構造にしたことにより、大引及び、鋼製束が安定する。【００１１】  また、ベース部７をコンクリートベース１０に固定する際、オールアンカー９を用いたことにより、従来のコンクリート釘を用いる場合よりも強力に固定することが出来る。【００１２】  また、不等沈下への対応による調節が調節ナット上部６と調節ナット下部８を回転し、調整させるだけで可能であるので、容易である。
【発明の実施するための最良の形態】
【００１３】  以下、この発明の実施の形態を図１〜図６に基づいて説明する。
本発明は鉄及びアルミ製であり、構造は、中心ボルト５の上部にはスクリューワッシャー２が設けられている。なお、中心ボルト５とスクリューワッシャー２は一体化している場合がある。なお、スクリューワッシャー２を設けない場合は、中心ボルト５の先端には当業者が通常使用するボルトの頭部分が設けられている。
【００１４】  また、本実施例でのスクリューワッシャー２とは、当業者の間で一般に使用されている主に土台を固定するために用いられ、ワッシャーの木材面に木材を削る部分を用し、ワッシャーを締めることによって、木材が削られ、木材を強く固定することが出来るものである。
【００１５】  中心ボルト５にはスクリューワッシャー２の下方に、スプリングワッシャー３、大引固定ナット４、調節ナット上部６、ベース部７、調節ナット下部８が可動の状態で取り付けが可能である。また、ベース部７は２本以上の足で構成されている状態の部品であり、それぞれの足の下部分にはオールアンカー９が設けられている。
【００１６】  本発明使用時は、大引１の鋼製束を取り付ける個所に中心ボルト５を通し、スクリューワッシャー２、及び、スプリングワッシャー３、大引固定ナット４にて大引１と中心ボルト５を固定する。
【００１７】  次に、中心ボルト５に調節ナット上部６及びベース部７、調節ナット下部８を通し、ベース部７の足の部分がコンクリートベース１０に立設する状態にする。大引１とコンクリートベース１０に対して本鋼製束の高さを調節ナット上部６と調節ナット下部８を回転することによって調節する。
高さ調整後、ベース部７をコンクリートベース１０にオールアンカー９で固定する。
【００１８】  本発明使用時の不等沈下への対応は、不等沈下の状況により、本鋼製束を高くする場合は調節ナット上部６及び調節ナット下部８を回転させながらコンクリートベース１０の方向へ移動させることにより、ベース部７から中心ボルト５が伸びる状態になり可能である。（図６）また、本鋼製束を低くする場合は逆に調節ナット上部６及び調節ナット下部８を回転させながら大引１の方向へ移動させることにより、ベース部７に中心ボルト５が縮まる状態になり可能である。（図６）
【図面の簡単な説明】
【００１９】
【図１】  本発明の一実施形態を示す鋼製束使用時の正面図である。
【図２】  本発明の一実施形態を示す正面図である。
【図３】  本発明の一実施形態を示す側面図である。
【図４】  本発明の一実施形態を示す平面図である。
【図５】  本発明の一実施形態を示す各部品を離脱した正面図である。
【図６】  本発明の一実施形態を示す高さを調節した状態の正面図である。
【符号の説明】
【００２０】  １  大引
２  スクリューワッシャー
３  スプリングワッシャー
４  大引固定ナット
５  中心ボルト
６  調節ナット上部
７  ベース部
８  調節ナット下部
９  オールアンカー
１０  コンクリートベース
【図１】
2006194054.tif 000003
【図２】
2006194054.tif 000004
【図３】
2006194054.tif 000005
【図４】
2006194054.tif 000006
【図５】
2006194054.tif 000007
【図６】
2006194054.tif 000008